(57)【要約】【課題】  使い勝手を向上させた情報処理装置を提供する。【解決手段】  第１の外部機器２と通信する第１の通信手段１１と、第２の外部機器３とネットワークを介して通信する第２の通信手段１２と、第１の通信手段１１による通信状態を取得する通信状態取得手順及び通信状態取得手順により取得した通信状態に応じた依頼信号を第２の外部機器３に送出する送信手順を有する制御手段１７とを備える。【選択図】        図１
2005223499.tif 000002
【特許請求の範囲】
【請求項１】
第１の外部機器と通信する第１の通信手段と、第２の外部機器とネットワークを介して通信する第２の通信手段と、前記第１の通信手段による通信状態を取得する通信状態取得手順及び該通信状態取得手順により取得した通信状態に応じた依頼信号を前記第２の外部機器に送出する送信手順を有する制御手段とを備えることを特徴とする情報処理装置。
【請求項２】
第１の外部機器と通信する第１の通信手段と、第２の外部機器とネットワークを介して通信する第２の通信手段と、前記第１の外部機器の電池残量を取得する電池残量取得手段と、該電池残量取得手段により取得した電池残量に応じた依頼信号を前記第２の外部機器に送出するように制御する制御手段とを備えることを特徴とする情報処理装置。
【請求項３】
請求項１又は２に記載の情報処理装置において、
上記第２の外部機器はファイルサーバであり、上記依頼信号は前記ファイルサーバからのファイル送信の中断を依頼する中断依頼信号であることを特徴とする情報処理装置。
【請求項４】
請求項１又は２に記載の情報処理装置において、
上記第２の外部機器は録画装置であり、上記依頼信号は前記録画装置に録画開始を依頼する録画依頼信号であることを特徴とする情報処理装置。
【請求項５】
請求項１に記載の情報処理装置において、
上記第２の外部機器は電話機であり、上記依頼信号は前記電話機に上記通信状態の出力を依頼する出力依頼信号であることを特徴とする情報処理装置。
【請求項６】
請求項２に記載の情報処理装置において、
上記第２の外部機器は電話機であり、上記依頼信号は上記電池残量が少なく前記電話機に通話中断を依頼する通話中断依頼信号であることを特徴とする情報処理装置。
【請求項７】
請求項５又は６に記載の情報処理装置において、
上記依頼通知信号は音声信号であることを特徴とする情報処理装置。
【請求項８】
請求項１から７のいずれか１項に記載の情報処理装置において、
上記第１の外部機器はヘッドセットであることを特徴とする情報処理装置。
【請求項９】
ヘッドセットと通信する第１の通信手段と、ストリームを配信するストリーム配信サーバとネットワークを介して通信する第２の通信手段と、前記第１の通信手段による通信状態を取得する通信状態取得手順及び該通信状態取得手順により取得した通信状態が悪くストリーム配信の中断を依頼する信号を前記ストリーム配信サーバに送出する送信手順を有する制御手段を備えることを特徴とする情報処理装置。
【請求項１０】
ヘッドセットと通信する第１の通信手段と、通話相手携帯電話とネットワークを介して通信する第２の通信手段と、前記第１の通信手段による通信状態を取得する通信状態取得手順及び該通信状態取得手順により取得した通信状態の前記通話相手携帯電話への出力を依頼する信号を前記通話相手携帯電話に送出する送信手順を有する制御手段を備えることを特徴とする情報処理装置。
【請求項１１】
受信している放送局の放送をヘッドセットに送信する第１の通信手段と、放送局が放送している番組を録画する番組録画サーバとネットワークを介して通信する第２の通信手段と、前記第１の通信手段による通信状態を取得する通信状態取得手順及び該通信状態取得手順により取得した通信状態が悪く受信している放送の録画を依頼する信号を前記番組録画サーバに送出する送信手順を有する制御手段を備えることを特徴とする情報処理装置。
【請求項１２】
第１の外部機器と通信する第１の通信手段と、第２の外部機器とネットワークを介して通信する第２の通信手段と、前記第１の通信手段による通信状態を取得し、該取得した通信状態に応じた依頼信号を前記第２の外部機器に送出するように前記第２の通信手段を制御する制御手段とを備えることを特徴とする情報処理装置。
【請求項１３】
請求項１２記載の情報処理装置において、
上記制御手段は、上記第１の外部機器と上記第１の通信手段との通信速度に応じた通信状態を取得することを特徴とする情報処理装置。
【発明の詳細な説明】
【技術分野】
【０００１】
本発明は、情報処理装置であり、特に外部機器と通信可能な情報処理装置、例えば、携帯電話、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）やＰＣ（Ｐｅｒｓｏｎａｌ  Ｃｏｍｐｕｔｅｒ）等に関するものである。
【背景技術】
【０００２】
従来、相互に無線接続されたヘッドセット及び携帯電話において、携帯電話の状態をヘッドセットを通じてユーザに認識させる手法が提案されていた（例えば、特許文献１参照）。
【特許文献１】特開２００２−１０３５８号公報
【発明の開示】
【発明が解決しようとする課題】
【０００３】
しかしながら、上記特許文献１には、インターネットや電話回線等のネットワークを介して接続された外部機器に対して、携帯電話とヘッドセットの状況に応じた信号を送信することについては述べられていない。このため、例えば、携帯電話に送信されているストリームを携帯電話に無線接続されたヘッドセットを用いて視聴している途中に携帯電話とヘッドセットの通信ができなくなった時、ヘッドセットから音声を聞くことができないにもかかわらず、ストリームの携帯電話への送信を中断することができないという問題があった。
【０００４】
そこで、本発明の目的は、上記問題を克服すべく、使い勝手を向上させた情報処理装置を提供することを目的とする。
【課題を解決するための手段】
【０００５】
上記課題を解決するために、本発明にかかる情報処理装置は、第１の外部機器と通信する第１の通信手段と、第２の外部機器とネットワークを介して通信する第２の通信手段と、前記第１の通信手段による通信状態を取得する通信状態取得手順および前記通信状態取得手順により取得した前記通信状態に応じた依頼信号を第２の外部機器に送出する送信手順を有する制御手段、を有することを特徴とする。
【０００６】
すなわち、本発明は、第１の外部機器と通信する第１の通信手段と、第２の外部機器とネットワークを介して通信する第２の通信手段と、前記第１の通信手段による通信状態を取得する通信状態取得手順及び該通信状態取得手順により取得した通信状態に応じた依頼信号を前記第２の外部機器に送出する送信手順を有する制御手段とを備える情報処理装置である。
【０００７】
また、本発明は、第１の外部機器と通信する第１の通信手段と、第２の外部機器とネットワークを介して通信する第２の通信手段と、前記第１の外部機器の電池残量を取得する電池残量取得手段と、該電池残量取得手段により取得した電池残量に応じた依頼信号を前記第２の外部機器に送出するように制御する制御手段とを備える情報処理装置である。
【０００８】
そして、本発明は、上記第２の外部機器はファイルサーバであり、上記依頼信号は前記ファイルサーバからのファイル送信の中断を依頼する中断依頼信号である情報処理装置である。
【０００９】
更に、本発明は、上記第２の外部機器は録画装置であり、上記依頼信号は前記録画装置に録画開始を依頼する録画依頼信号である情報処理装置である。
【００１０】
また、本発明は、上記第２の外部機器は電話機であり、上記依頼信号は前記電話機に上記通信状態の出力を依頼する出力依頼信号である情報処理装置である。
【００１１】
そして、本発明は、上記第２の外部機器は電話機であり、上記依頼信号は上記電池残量が少なく前記電話機に通話中断を依頼する通話中断依頼信号である情報処理装置である。
【００１２】
更に、本発明は、上記依頼通知信号は音声信号である情報処理装置である。
【００１３】
また、本発明は、上記第１の外部機器はヘッドセットである情報処理装置である。
【００１４】
そして、本発明は、ヘッドセットと通信する第１の通信手段と、ストリームを配信するストリーム配信サーバとネットワークを介して通信する第２の通信手段と、前記第１の通信手段による通信状態を取得する通信状態取得手順及び該通信状態取得手順により取得した通信状態が悪くストリーム配信の中断を依頼する信号を前記ストリーム配信サーバに送出する送信手順を有する制御手段を備える情報処理装置である。
【００１５】
更に、本発明は、ヘッドセットと通信する第１の通信手段と、通話相手携帯電話とネットワークを介して通信する第２の通信手段と、前記第１の通信手段による通信状態を取得する通信状態取得手順及び該通信状態取得手順により取得した通信状態の前記通話相手携帯電話への出力を依頼する信号を前記通話相手携帯電話に送出する送信手順を有する制御手段を備える情報処理装置である。
【００１６】
また、本発明は、受信している放送局の放送をヘッドセットに送信する第１の通信手段と、放送局が放送している番組を録画する番組録画サーバとネットワークを介して通信する第２の通信手段と、前記第１の通信手段による通信状態を取得する通信状態取得手順及び該通信状態取得手順により取得した通信状態が悪く受信している放送の録画を依頼する信号を前記番組録画サーバに送出する送信手順を有する制御手段を備える情報処理装置である。
【００１７】
そして、本発明は、第１の外部機器と通信する第１の通信手段と、第２の外部機器とネットワークを介して通信する第２の通信手段と、前記第１の通信手段による通信状態を取得し、該取得した通信状態に応じた依頼信号を前記第２の外部機器に送出するように前記第２の通信手段を制御する制御手段とを備える情報処理装置である。
【００１８】
更に、本発明は、上記制御手段は、上記第１の外部機器と上記第１の通信手段との通信速度に応じた通信状態を取得する情報処理装置である。
【発明の効果】
【００１９】
本発明によれば、使い勝手を向上させた情報処理装置を得ることができる。
【発明を実施するための最良の形態】
【００２０】
本発明を実施するための最良の形態を説明する。
本発明の情報処理装置の実施例について、図面を用いて説明する。
【実施例１】
【００２１】
本発明の第１の実施例について説明する。本実施例においては、携帯電話と無線接続されたヘッドセットを用いてストリームを視聴中、携帯電話とヘッドセットとの通信状況が悪くなった時に、所定の依頼信号をストリーム配信サーバに送信してストリーム配信を一時停止させることで、ストリームを聞き逃すことをなくすことができ、使い勝手を向上させることができる。
【００２２】
図１は本実施例におけるシステム構成を示す図である。１は携帯電話、２はヘッドセット、３はストリーム配信サーバである。ユーザは携帯電話１を操作することで、ストリーム配信サーバ３からストリームコンテンツをダウンロードして視聴することが可能である。その際、画像情報は携帯電話１で再生され、音声情報は携帯電話１からヘッドセット２に転送されて、ヘッドセット２で再生される。
【００２３】
本実施例の携帯電話の構成を説明する。図２は本実施例における携帯電話１のブロック構成を示す図である。携帯電話１は、第１通信部１１、第２通信部１２、操作部１３、記憶部１４、表示部１５、電池残量検出部１６、制御部１７を備えている。
【００２４】
第１通信部１１は、第１の外部機器であるヘッドセット２と通信を行う部分である。携帯電話１とヘッドセット２との通信において、携帯電話１からヘッドセット２に送られる情報としてはストリームの音声情報、電話における通話相手からの音声情報、電波状況や電池残量のような携帯電話１の内部状態を示す情報、携帯電話１に保存されているアドレス帳のようなユーザ情報などがある。また、ヘッドセット２から携帯電話１に送られる情報としては、電波状況や電池残量のようなヘッドセット２の内部状態を示す情報や、ヘッドセット２から入力された音声情報などがある。
【００２５】
第２通信部１２は、ストリーム配信サーバ３などの第２の外部機器と通信を行う部分である。携帯電話１とストリーム配信サーバ３との通信において、携帯電話１からストリーム配信サーバ３に送られる情報としては、ストリーム配信要求やストリーム一時停止要求やストリーム再開要求などがある。また、ストリーム配信サーバ３から携帯電話１に送られる情報としては、ストリームやストリームに関する関連情報などがある。なお、図２の構成例とは異なるが、独立した第２通信部１２を持たず、第１通信部１１の扱う通信路で、通信を並列に処理する構成にしてもよい。
【００２６】
操作部１３は、携帯電話１の使用者からの入力を処理する部分である。記憶部１４は、プログラムやユーザ情報、第１通信部１１や第２通信部１２が受信した情報、携帯電話１とヘッドセット２の内部状態を示す情報などを記憶する部分である。表示部１５は、第１通信部１１や第２通信部１２が受信した情報、記憶部１４に記憶された情報、携帯電話１の使用者が操作部１３を介して入力した情報などを表示する部分である。電池残量検出部１６は携帯電話１の電池残量を検出する部分である。制御部１７は携帯電話１全体を制御する部分であり、第１通信部１１から電池残量検出部１６を制御する。
【００２７】
なお、本実施例の情報処理装置は、第１通信部１１から制御部１７までを備えていれば、携帯電話に限定されず、何でもよい。
【００２８】
本実施例におけるヘッドセットの構成の一例を説明する。図３は、ヘッドセット２のブロック構成を示した図である。ヘッドセット２は、頭部に装着して使うもので、耳に音声出力部、口元に音声入力部が配置されるようになっており、通信部２１、操作部２２、記憶部２３、音声出力部２４、音声入力部２５、電池残量検出部２６、装着検出部２７、制御部２８を備えている。
【００２９】
通信部２１は携帯電話１と通信を行う部分である。操作部２２はヘッドセット２の使用者からの入力を処理する部分である。記憶部２３は、通信部２１が受信した情報や携帯電話１とヘッドセット２の内部状態を示す情報などを記憶する部分である。音声出力部２４は、通信部２１が受信した音声情報や記憶部２３に保存された音声情報などを出力する部分である。音声入力部２５は、ヘッドセット２の使用者からの音声入力を処理する部分である。電池残量検出部２６はヘッドセット２の電池残量を検出する部分である。装着検出部２７はヘッドセット２が頭部に装着されているかを検出する部分である。制御部２８はヘッドセット２全体を制御する部分である。
【００３０】
本実施例における携帯電話処理フローの一例を説明する。携帯電話１およびヘッドセット２を用いてストリームを視聴する時の携帯電話１の処理について、図４を用いて説明する。携帯電話１の使用者が携帯電話１の操作部１３に対して、ストリーム配信要求の操作を行うと（Ｓ１０１）に移行する。
【００３１】
（Ｓ１０１）において、制御部１７はヘッドセット２との通信が可能かどうかの判定を行う。この判定方法の詳細については後述するが、例えば、電波状況が悪い時やヘッドセット２の電池残量が少ない時は通信不可と判定し、それ以外であれば通信可と判定する。通信不可と判定したら（Ｓ１０７）に移行し、通信可と判定したら（Ｓ１０２）に移行する。
【００３２】
（Ｓ１０７）において、制御部１７は携帯電話１とヘッドセット２との通信が通信不可の状態の時にストリームを中断する設定がＯＮかＯＦＦか未設定かを記憶部１４より取得する。この設定が、未設定となっている場合には、制御部１７は表示部１５に表示を行うことにより、携帯電話１の使用者に設定をＯＮかＯＦＦにするように促す。その表示の一例を図５に示す。携帯電話１の使用者が携帯電話１の操作部１３を介して、設定をＯＮまたはＯＦＦにすると、制御部１７は、その設定を取得する。設定がＯＮの場合は（Ｓ１０８）に移行し、ＯＦＦの場合は、（Ｓ１０２）に移行する。
【００３３】
（Ｓ１０８）において、制御部１７は携帯電話１とヘッドセット２との通信が通信不可の状態になってから規定時間が経過したかどうかを調べ、規定時間が経過していなければ（Ｓ１０１）に移行して再び通信可否判定を行い、経過していれば処理を終了する。
【００３４】
（Ｓ１０２）において、制御部１７は第２通信部１２を介してストリーム配信サーバ３に対して、ストリーム配信要求を送信し（Ｓ１０３）に移行する。
【００３５】
（Ｓ１０３）において、制御部１７は第２通信部１２を介してストリーム配信サーバ３が送信してきたストリームの受信を行い、（Ｓ１０４）に移行する。
【００３６】
（Ｓ１０４）において、制御部１７はヘッドセット２との通信が可能かどうかの判定を行う。この判定方法は（Ｓ１０１）で行った判定と同様である。通信不可と判定したら（Ｓ１０９）に移行し、通信可と判定したら（Ｓ１０５）に移行する。
【００３７】
（Ｓ１０５）において、制御部１７は第１通信部１１を介してストリームをヘッドセット２に送信し、（Ｓ１０６）に移行する。
【００３８】
（Ｓ１０６）において、制御部１７はストリームが終了したかどうかを調べる。終了していない場合は（Ｓ１０４）に移行し、終了した場合は処理を終了する。
【００３９】
（Ｓ１０９）において、制御部１７は携帯電話１とヘッドセット２との通信が通信不可の状態の時にストリームを中断する設定がＯＮかＯＦＦかを取得する。設定を取得する処理は（Ｓ１０７）と同様である。設定がＯＮの場合は（Ｓ１１０）に移行し、ＯＦＦの場合は、（Ｓ１０６）移行する。
【００４０】
（Ｓ１１０）において、制御部１７は第２通信部１２を介してストリーム配信サーバ３に対しストリーム一時停止要求を出し、（Ｓ１１１）に移行する。このとき、ヘッドセット２に対してストリーム音声情報を送信していれば、これを停止する。
【００４１】
（Ｓ１１１）において、制御部１７はヘッドセット２との通信が可能かどうかの判定を行う。この判定方法は（Ｓ１０１）で行った判定と同様である。通信不可と判定したら（Ｓ１１３）に移行し、通信可と判定したら（Ｓ１１２）に移行する。
【００４２】
（Ｓ１１２）において、制御部１７は第２通信部１２を介してストリーム配信サーバ３に対して、ストリーム再開要求を送信する。ストリーム再開の処理は、（Ｓ１０２）のストリーム配信要求の処理と異なり、認証等の処理を省略することができる。また、ストリームを一時停止した時点を特定する情報をストリーム再開要求とともに送信することにより、ストリームを一時停止した時点から再開できるようにする。
【００４３】
（Ｓ１１３）において、制御部１７は携帯電話１とヘッドセット２との通信が通信不可の状態になってから規定時間が経過したかどうかを調べ、規定時間が経過していなければ（Ｓ１１１）に移行して再び通信可否判定を行い、経過していれば処理を終了する。
【００４４】
続いて、（Ｓ１０１）、（Ｓ１０４）及び（Ｓ１１１）で実行される携帯電話１とヘッドセット２との間の通信可否判定方法の詳細について図６を用いて説明する。
【００４５】
（Ｓ２０１）において、制御部１７は第１通信部１１を介して、ヘッドセット２との通信速度を取得する。具体的には、送受信したデータ量から計算する方法や、通信を行う際に通信速度をパラメータとしてやり取りする方法がある。ヘッドセット２との通信ができていない場合もしくは通信速度が規定の通信速度によりも小さい場合は（Ｓ２０５）に移行し通信不可と判定する。そうでない場合は、（Ｓ２０２）に移行する。
【００４６】
（Ｓ２０２）において、携帯電話１の制御部１７は第１通信部１１を介してヘッドセット２に対し電池残量の問い合わせを行う。この際、ヘッドセット２では、制御部２８が、電池残量検出部２６を介して電池残量を取得し通信部２１を介して携帯電話１に対し電池残量を送信する。ヘッドセット２の電池残量が規定量より少ない場合には、（Ｓ２０５）に移行し通信不可と判定する。ヘッドセット２の電池残量が規定量より少ない場合、短時間後に通信ができなくなるが、このように判定することで、電池切れに対し、早めに対応することができる。これにより、ヘッドセット２の使用者は電池切れによるストリームの聞き逃しを防止することができる。ヘッドセット２の電池残量が規定量より多い場合には、（Ｓ２０３）に移行する。
【００４７】
（Ｓ２０３）において、携帯電話１の制御部１７は第１通信部１１を介してヘッドセット２に対しヘッドセット２が頭部から外れていないかの問い合わせを行う。この際、ヘッドセット２では、制御部２８が、装着検出部２７を介して装着状況を取得し通信部２１を介して携帯電話１に対し装着状況を送信する。装着検出部２７が装着状況を取得する具体的な方法としては、装着を検出するための圧力センサを頭部に設置し、圧力センサより圧力の変化を検出する方法等がある。ヘッドセット２が頭部から外れている場合は（Ｓ２０５）に移行し通信不可と判定する。これにより、ヘッドセット２が頭部から外れていることによるストリームの聞き逃しを防止することができる。ヘッドセット２が頭部に装着されている場合は（Ｓ２０４）に移行する。
【００４８】
（Ｓ２０４）において、制御部１７は通信可と判定し、処理を終了する。
【００４９】
（Ｓ２０５）において、制御部１７は通信不可と判定し、処理を終了する。この時、携帯電話１が光るようにしたり、携帯電話１から音が鳴るようにしたりするなどして、携帯電話１の使用者にストリーム配信サーバからのストリーム配信が停止されることを知らせるようにしてもよい。また、「ヘッドセットと通信できません」や「ヘッドセットのバッテリが切れます」のように通信不可の理由を携帯電話１の使用者に音声や文字などで通知してもよい。
【００５０】
なお、図６の処理フローは一例であり、（Ｓ２０１）から（Ｓ２０３）の処理順序は上記のとおりでなくとも良いし、（Ｓ２０１）から（Ｓ２０３）以外の条件で携帯電話１の使用者がストリームを視聴できない状況の時に、通信不可と判定してもよい。
【実施例２】
【００５１】
本発明の第２の実施例について説明する。本実施例においては、携帯電話に無線接続されたヘッドセットを用いて通話をする際、携帯電話とヘッドセットとの通信状況が悪くなった時に、所定の依頼信号を通話相手の携帯電話に送信することで、通話相手に携帯電話とヘッドセットとの通信状況が悪いことを知らせることができ、使い勝手を向上させることができる。
【００５２】
図７は、本実施例におけるシステム構成を示す図である。携帯電話１およびヘッドセット２のブロック構成は第１の実施例と同じである。ただし、携帯電話１は本実施例においては、ストリームを視聴できなくてもよい。通話相手携帯電話４は携帯電話１と通話をしている携帯電話であり、携帯電話１は第２通信部１２を介して通話相手携帯電話４と通信ができる。
【００５３】
実施例における携帯側処理フローの一例を説明する。携帯電話１およびヘッドセット２を用いて通話を行う時の携帯電話１の処理について、図８を用いて説明する。携帯電話１の使用者が携帯電話１の操作部１３を操作して、通話を開始すると（Ｓ３０１）に移行する。
【００５４】
（Ｓ３０１）において、制御部１７はヘッドセット２との通信が可能かどうかの判定を行う。この判定方法については第１の実施例と同様である。ただし、携帯電話１からヘッドセット２に送られる音声情報は、ストリームの音声情報ではなく、通話における音声情報である。通信不可と判定された時は（Ｓ３０３）に移行し、通信可と判定された時は（Ｓ３０２）に移行する。
【００５５】
（Ｓ３０３）において、制御部１７は携帯電話１とヘッドセット２との通信が通信不可の状態になってから規定時間が経過したかどうかを調べ、規定時間が経過していなければ（Ｓ３０４）に移行し、経過していれば処理を終了する。
【００５６】
（Ｓ３０２）において、制御部１７は通話が終了したかどうかを調べる。終了していない場合は（Ｓ３０１）に移行し、終了した場合には処理を終了する。
【００５７】
（Ｓ３０４）において、制御部１７は第２通信部１２を介して通話相手携帯電話４に対して、所定の信号を送ることで、通話相手携帯電話４に携帯電話１とヘッドセット２との通信が可能でないことを伝え、（Ｓ３０５）に移行する。この信号は、「あなたが通話中の携帯電話は現在携帯電話本体とヘッドセットとの通信が可能ではありません」のような音声情報や文字情報でもよい。
【００５８】
（Ｓ３０５）において、制御部１７は規定時間待った後、（Ｓ３０１）に移行する。
【実施例３】
【００５９】
本発明の第３の実施例について説明する。本実施例においては、携帯電話に無線接続されたヘッドセットを用いて放送を受信する際、携帯電話とヘッドセットとの通信状況が悪くなった時に、所定の依頼信号を番組録画サーバに送信することで、視聴中の番組の自動録画を行うことができ、使い勝手を向上させることができる。
【００６０】
図９は、本実施例におけるシステム構成を示す図である。ヘッドセット２のブロック構成は第１の実施例と同じである。携帯電話５は、放送局７が配信する放送を受信することができる。また、携帯電話５は、番組録画サーバ６と通信ができ、携帯電話５から番組録画サーバ６に対し、番組の録画要求を送信できる。
【００６１】
図１０は本実施例における携帯電話５のブロック構成を示す図である。携帯電話５は、携帯電話１に放送受信部１８を追加した構成となっている。
【００６２】
放送受信部１８は、放送局より配信される放送を受信する部分である。なお、図１０の構成例とは異なるが、独立した放送受信部１８を持たず、第１通信部１１や第２通信部１２の扱う通信路で、放送受信と他の通信を並列に処理する構成にしてもよい。
【００６３】
また、制御部１７は、本実施例においては、第１通信部１１から電池残量検出部１６および放送受信部１８を制御する部分である。
【００６４】
本実施例における携帯側処理フローの一例を説明する。携帯電話５およびヘッドセット２を用いて番組録画サーバ６に録画を行わせる時の携帯電話５の処理について、図１１を用いて説明する。携帯電話５の使用者が携帯電話５の操作部１３を操作して、放送の視聴を開始すると（Ｓ４０１）に移行する。
【００６５】
（Ｓ４０１）において、制御部１７は放送受信部１８が受信した放送より、視聴番組特定情報を取得し、（Ｓ４０２）に移行する。視聴番組特定情報は視聴中の番組を特定できるものならば何でもよく、例えば、「日時と番組名」などである。
【００６６】
（Ｓ４０２）において、制御部１７はヘッドセット２との通信が可能かどうかの判定を行う。この判定方法については第１の実施例と同様である。ただし、携帯電話１からヘッドセット２に送られる音声情報は、ストリームの音声情報ではなく、放送の音声情報である。通信不可と判定された時は（Ｓ４０４）に移行し、通信可と判定された時は（Ｓ４０３）に移行する。
【００６７】
（Ｓ４０４）において、制御部１７は既にその番組を録画要求したかを調べ、要求した場合は（Ｓ４０６）に移行し、要求していない場合は（Ｓ４０５）に移行する。
【００６８】
（Ｓ４０５）において、制御部１７は第２通信部１２を介して番組録画サーバ３に対して、番組録画要求を送信し（Ｓ４０１）に移行する。
【００６９】
（Ｓ４０３）において、制御部１７は視聴を終了したかどうかを調べる。終了していない場合は（Ｓ４０１）に移行し、終了した場合は処理を終了する。
【００７０】
（Ｓ４０６）において、制御部１７は携帯電話１とヘッドセット２との通信が通信不可の状態になってから規定時間が経過したかどうかを調べ、規定時間が経過していなければ（Ｓ４０１）に移行し、経過していれば処理を終了する。
【００７１】
なお、第１の実施例から第３の実施例において、上述してきた種々の機能はソフトウェアで実現されており、ユーザは、例えば、ＣＤ―ＲＯＭ等の記録媒体やサーバから当該ソフトウェアを受信して当該種々の機能を実現できる。これにより、必要な機能だけを搭載したり、また、好みに応じて色々な機能を追加もしくは削除、あるいは更新することが容易となる。
【００７２】
更に、上述してきた実施例を組み合わせて新しく実施例を構成することができることは言うまでもない。
【００７３】
また、本発明は、上記に示された実施例に限定されるものではなく、ここに開示された原理及び新しい特性は広範囲の技術的範囲を含むものである。
【図面の簡単な説明】
【００７４】
【図１】第１の実施例におけるシステム構成図。
【図２】第１の実施例における携帯電話のブロック構成図。
【図３】第１の実施例におけるヘッドセットのブロック構成図。
【図４】第１の実施例における制御部の処理フローの一例の説明図。
【図５】第１の実施例における表示部の画面表示の一例の説明図。
【図６】第１の実施例における通信可否判定の処理フローの一例の説明図。
【図７】第２の実施例におけるシステム構成図。
【図８】第２の実施例における制御部の処理フローの一例の説明図。
【図９】第３の実施例のシステム構成図。
【図１０】第３の実施例における携帯電話のブロック構成図。
【図１１】第３の実施例における制御部の処理フローの一例の説明図。
【符号の説明】
【００７５】
１…携帯電話、２…ヘッドセット、３…ストリーム配信サーバ、４…通話相手携帯電話、５…携帯電話、６…番組録画サーバ、７…放送局、１１…携帯電話１の第１通信部、１２…携帯電話１の第２通信部、１３…携帯電話１の操作部、１４…携帯電話１の記憶部、１５…携帯電話１の表示部、１６…携帯電話１の電池残量検出部、１７…携帯電話１の制御部、１８…携帯電話１の放送受信部、２１…ヘッドセット２の通信部、２２…ヘッドセット２の操作部、２３…ヘッドセット２の記憶部、２４…ヘッドセット２の音声出力部、２５…ヘッドセット２の音声入力部、２６…ヘッドセット２の電池残量検出部、２７…ヘッドセット２の装着検出部、２８…ヘッドセット２の制御部
【図１】
2005223499.tif 000003
【図２】
2005223499.tif 000004
【図３】
2005223499.tif 000005
【図４】
2005223499.tif 000006
【図５】
2005223499.tif 000007
【図６】
2005223499.tif 000008
【図７】
2005223499.tif 000009
【図８】
2005223499.tif 000010
【図９】
2005223499.tif 000011
【図１０】
2005223499.tif 000012
【図１１】
2005223499.tif 000013